(57)【要約】  本発明の折り畳み端末１００，２００は、本体１と、フレキシブルスクリーンアセンブリ２とを備え、本体１が、第１の構造部材１１，２１１と、第２の構造部材１２，２１２と、折り曲げアセンブリ１３，２１３とを備え、折り曲げアセンブリ１３，２１３が、固定部材１３１，２１３１と、二つのスライドバー１３２，２１３２とを備え、二つのスライドバー１３２，２１３２の第１端１３２１は、固定部材１３１，２１３１の二つの側壁１３１３に回動可能に接続され、二つのスライドバー１３２，２１３２の第２端１３２２，２１３２２が、第１構造部材１１，２１１と第２構造部材１２，２１２とに接続され、フレキシブルスクリーンアセンブリ２が本体１の折り畳み内側面１ａに設けられ、フレキシブルスクリーンアセンブリ２の折り曲げ領域２ａは、固定部材１３１，２１３１に正対する。折り畳み端末１００，２００がスライドバー１３２，２１３２の第２端１３２２，２１３２２により、スライドキャビティ１１１ａ，１２１ａ，２１１１ａ，２１２１ａの底部に徐々に接近することができ、本体１の折り畳み外側面１ｂの長さが徐々に小さくなり、折り畳み端末１００，２００の展開を実現した後、本体１の折り畳み外側面は、平らな面であり、しわがない。【選択図】  図１
2019507523.tif 000002
【特許請求の範囲】
【請求項１】
折り畳み端末であって、
本体と、フレキシブルスクリーンアセンブリとを備え、
前記本体が、第１の構造部材と、第２の構造部材と、折り曲げアセンブリとを備え、
前記第１の構造部材と前記第２の構造部材との端面には、第１のスライドキャビティと第２のスライドキャビティとがそれぞれ設けられ、
前記折り曲げアセンブリが、固定部材と、二つのスライドバーとを備え、
二つの該スライドバーの第１端が、前記固定部材の二つの側壁にそれぞれ回動可能に接続され、
二つの前記スライドバーの第２端が、前記第１のスライドキャビティと前記第２のスライドキャビティとにそれぞれ摺動可能に接続され、
前記フレキシブルスクリーンアセンブリが、前記本体の折り畳み内側面に設けられ、
前記フレキシブルスクリーンアセンブリの折り曲げ領域が、前記固定部材に正対し、
前記本体が折り畳まれる場合には、前記固定部材が前記折り曲げ領域に当接されることにより前記折り曲げ領域から離間する方向に向けて摺動され、前記本体が展開される場合には、前記固定部材の二つの側壁がそれぞれ前記第１の構造部材と前記第２の構造部材との端面に互いに接近し、前記本体の折り畳み外側面を平らに展開させる折り畳み端末。
【請求項２】
前記本体が展開される場合には、前記固定部材の内側面が、前記折り曲げ領域に接触されて、前記折り曲げ領域を支持する請求項１に記載の折り畳み端末。
【請求項３】
前記折り曲げ領域が、常に前記固定部材の内側面に貼り合わされる請求項１又は請求項２に記載の折り畳み端末。
【請求項４】
前記第１のスライドキャビティが、該第１のスライドキャビティの開口に対向する第１の底壁を有し、
前記第２のスライドキャビティが、該第２のスライドキャビティの開口に対向する第２の底壁を有し、
前記折り曲げアセンブリが、二つの弾性部材をさらに備え、
一方の前記弾性部材が、一方の前記スライドバーの前記第２端と前記第１の底壁との間に弾性的に接続され、
他方の前記弾性部材が、他方の前記スライドバーの前記第２端と前記第２の底壁との間に弾性的に接続されている請求項１に記載の折り畳み端末。
【請求項５】
前記弾性部材が、ばね、又はシリコーンゴムである請求項４に記載の折り畳み端末。
【請求項６】
二つの前記スライドバーが対称的に設けられている請求項１又は請求項４に記載の折り畳み端末。
【請求項７】
前記折り曲げアセンブリが二組の前記スライドバーを有し、
一対の前記スライドバーを一組とし、二組の前記スライドバーの前記第１端が、前記固定部材の縦方向に沿って前記固定部材に間隔を置いて設けられている請求項１又は請求項４に記載の折り畳み端末。
【請求項８】
前記固定部材が、背向して設けられる二つの側壁を備え、
前記側壁には、凹溝が開けられ、
前記スライドバーの前記第１端が、回転軸を介して前記凹溝に回動可能に接続されている請求項１又は請求項４に記載の折り畳み端末。
【請求項９】
前記固定部材が、背向して設けられる二つの側壁を備え、
前記側壁には、球形溝が開けられ、
前記スライドバーの前記第１端が球形頭部であり、
前記スライドバーの前記第１端は、転動可能に前記球形溝に接続されている請求項１又は請求項４に記載の折り畳み端末。
【請求項１０】
前記第１の構造部材および前記第２の構造部材の端面には、第１のバッフル板と第２のバッフル板とがそれぞれ凸設され、
前記第１のバッフル板の外面と前記第１の構造部材の第１の外面とが同一平面上にあり、
前記第２のバッフル板の外面と前記第２の構造部材の第２の外面とが同一平面上にあり、
前記折り曲げアセンブリが、前記第１のバッフル板と前記第２のバッフル板との間に位置する請求項１又は請求項４に記載の折り畳み端末。
【請求項１１】
前記第１のバッフル板および前記第２のバッフル板の前記固定部材の横方向に沿う長さの和は、前記固定部材の外側面の自体の横方向に沿う長さに等しく、
前記第１の構造部材と前記第２の構造部材との間の夾角が１８０°である場合、前記本体の折り畳み外側面は、同一平面上にあり、
前記固定部材が、前記第１のバッフル板と、前記第２のバッフル板と、前記フレキシブルスクリーンアセンブリの前記折り曲げ領域とにより形成される密閉キャビティの中に位置する請求項１０に記載の折り畳み端末。
【請求項１２】
前記本体は、メインボードをさらに備え、
該メインボードが、前記第１の構造部材および／又は前記第２の構造部材に設けられている請求項１に記載の折り畳み端末。
【請求項１３】
折り畳み端末であって、
本体と、フレキシブルスクリーンアセンブリとを備え、
前記本体が、二つの構造部材と、二つの該構造部材の間に接続されている折り曲げアセンブリとを備え、
該折り曲げアセンブリが、固定部材と、二つのスライドバーとを備え、
二つの該スライドバーの第１端が、前記固定部材の背向する二つの側壁にそれぞれ回動可能に接続され、
二つの前記スライドバーの第２端が、二つの前記構造部材にそれぞれ摺動可能に接続され、
前記フレキシブルスクリーンアセンブリが、前記本体の折り畳み内側面に設けられ、
前記フレキシブルスクリーンアセンブリの折り曲げ領域が、前記固定部材に正対し、
二つの前記構造部材が互いに接近させられて、前記本体が折り畳まれる場合には、前記固定部材が、前記折り曲げ領域と当接されることにより二つの前記構造部材から離間する方向に向けて摺動され、
二つの前記構造部材が互いに離間されて前記本体を平らに展開させる場合には、前記固定部材と二つの前記構造部材とが互いに接近させられて、前記本体の折り畳み外側面を平らに展開させる折り畳み端末。
【請求項１４】
前記固定部材が、背向して設けられる上端面と下端面とを備え、
前記上端面から前記下端面への方向において、前記固定部材の長さは、二つの前記構造部材の長さと同じである請求項１３に記載の折り畳み端末。
【請求項１５】
前記折り曲げ領域が、前記固定部材に接触され、
前記固定部材が、長い矩形を呈し、前記折り曲げ領域を平坦に支持する請求項１４に記載の折り畳み端末。
【請求項１６】
二つの前記構造部材が、いずれも、互いに向き合う内端面と、互いに離反する外端面とを備え、
二つの前記構造部材の内部には、いずれも、前記内端面から前記外端面への方向に沿って伸びるスライドキャビティが設けられ、
前記スライドバーの前記第２端が、前記スライドキャビティに摺動可能に接続されている請求項１４に記載の折り畳み端末。
【請求項１７】
前記折り曲げアセンブリが、複数のペアであり且つ対称的に設けられる前記スライドバーを有し、
複数のペアの該スライドバーは、前記上端面から前記下端面への方向に間隔を置いて前記固定部材に接続されている請求項１６に記載の折り畳み端末。
【請求項１８】
前記スライドキャビティの数が、前記スライドバーの数と同じである請求項１７に記載の折り畳み端末。
【請求項１９】
二つの前記構造部材の内端面には、一つのバッフル板がそれぞれ凸設され、
前記バッフル板の外面と前記構造部材の外面とが同一平面上にあり、
前記本体が展開される場合には、二つの前記バッフル板が、互いに当接され、前記固定部材が、二つの前記バッフル板と前記折り曲げ領域との間に位置する請求項１６に記載の折り畳み端末。
【請求項２０】
前記内端面から前記外端面への方向に、二つの前記バッフル板の長さの和が、前記固定部材の長さに等しい請求項１９に記載の折り畳み端末。
【発明の詳細な説明】
【優先権情報】
【０００１】
本発明は、２０１５年１２月２９日に提出され且つ発明の名称が「折り畳み端末」であり、出願番号が２０１５１１０２６５０９.４である先の出願の優先権を主張するものであり、上記先の出願の内容は参照により本明細書に組み入れられる。
【技術分野】
【０００２】
本発明は、電子機器分野に関し、特に、折り畳み端末に関するものである。
【背景技術】
【０００３】
フレキシブルスクリーンは、従来のスクリーンと比べると、フレキシブルスクリーンの優勢が明らかであるものであり、体積上さらに軽量薄型化されるだけではなく、消費電力も従来部品より低く、機器の航続能力の向上に寄与するとともに、湾曲可能および可撓性の良い特性に基づいて、その耐久性も従来のスクリーンよりも遙かに高く、機器の不慮の損傷の確立を低減する。
【０００４】
従来技術において、フレキシブルスクリーンを折り畳み端末に適用して、折り畳み可能な折り畳み端末を提供する。発明者は、従来の折り畳み可能な端末を利用する際に、端末が折り曲げられる場合、端末の外面と内面に半径の差があり、外面の折り曲げ位置における長さが比較的大きく、端末が平らに展開される場合、端末の折り曲げ位置に、しわが現れやすいことに気づいた。
【発明の概要】
【発明が解決しようとする課題】
【０００５】
本発明は、展開される場合、しわが現れない折り畳み端末を提供することを目的とする。
【課題を解決するための手段】
【０００６】
上記技術課題を解決するために、本発明は、本体と、フレキシブルスクリーンアセンブリとを備え、前記本体が、第１の構造部材と、第２の構造部材と、折り曲げアセンブリとを備え、前記第１の構造部材と前記第２の構造部材との端面には、第１のスライドキャビティと第２のスライドキャビティとがそれぞれ設けられ、前記折り曲げアセンブリが、固定部材と、二つのスライドバーとを備え、二つの該スライドバーの第１端が、前記固定部材の二つの側壁に回動可能に接続され、二つの前記スライドバーの第２端が、前記第１のスライドキャビティと前記第２のスライドキャビティとにそれぞれ摺動可能に接続され、前記フレキシブルスクリーンアセンブリが、前記本体の折り畳み内側面に設けられ、前記フレキシブルスクリーンアセンブリの折り曲げ領域が、前記固定部材に正対し、前記本体が折り畳まれる場合には、前記固定部材が前記折り曲げ領域に当接されることにより前記折り曲げ領域から離間する方向に向けて摺動され、前記本体が展開される場合には、前記固定部材の二つの側壁がそれぞれ前記第１の構造部材と前記第２の構造部材との端面と互いに接近し、前記本体の折り畳み外側面を平らに展開させる折り畳み端末を提供する。
【０００７】
本発明は、本体と、フレキシブルスクリーンアセンブリとを備え、前記本体が、二つの構造部材と、二つの該構造部材の間に接続されている折り曲げアセンブリとを備え、該折り曲げアセンブリが、固定部材と、二つのスライドバーとを備え、二つの該スライドバーの第１端が、前記固定部材の背向する二つの側壁にそれぞれ回動可能に接続され、二つの前記スライドバーの第２端が、二つの前記構造部材にそれぞれ摺動可能に接続され、前記フレキシブルスクリーンアセンブリが、前記本体の折り畳み内側面に設けられ、前記フレキシブルスクリーンアセンブリの折り曲げ領域が、前記固定部材に正対し、二つの前記構造部材が互いに接近させられて、前記本体が折り畳まれる場合には、前記固定部材が、前記折り曲げ領域と当接されることにより二つの前記構造部材から離間する方向に向けて摺動され、二つの前記構造部材が互いに離間されて前記本体を平らに展開させる場合には、前記固定部材と二つの前記構造部材とが互いに接近させられて、前記本体の折り畳み外側面を平らに展開させる折り畳み端末を提供する。
【図面の簡単な説明】
【０００８】
本発明の技術案をより明確に説明するために、以下、実施形態において用いる必要のある図面について簡単に紹介し、以下の説明における図面が単なる本発明の一部の実施形態であることが明らかであり、当業者にとって、創造的労働を貢献しないという前提で、これらの図面に基づいて他の図面をさらに取得することができる。
【０００９】
【図１】本発明の第１の実施形態において提供される折り畳み端末の概略図である。
【図２】図１に示される折り畳み端末の分解概略図である。
【図３】図２に示される折り畳み端末の折り曲げ状態にある場合の内部概略図である。
【図４】図２に示される折り畳み端末の他の折り曲げ状態にある場合の内部概略図である。
【図５】図２に示される折り畳み端末のさらに他の折り曲げ状態にある場合の内部概略図である。
【図６】本発明の第２の実施形態において提供される折り畳み端末の概略図である。
【発明を実施するための形態】
【００１０】
以下、本発明の実施形態における図面と組み合わせて、本発明の実施形態における技術案について明確かつ完全な説明を行う。
【００１１】
本発明の実施形態に係る折り畳み端末は、通信と記憶の機能を備える任意の機器であってもよく、例えば、タブレット、携帯、電子書籍リーダー、リモコン、パソコン（Ｐｅｒｓｏｎａｌ  Ｃｏｍｐｕｔｅｒ，ＰＣ）、ラップトップ、車載機器、インターネットテレビ、ウェアラブルデバイスなどのネットワーク機能を有するスマートデバイスであってもよい。
【００１２】
なお、本発明の実施形態の説明において、「内向きに反転」、「外向きに反転」、「縦方向」、「横方向」、「厚さ」、「上」、「下」などの用語が示す方位又は位置関係は、図面に示す方位又は位置関係に基づき、本発明を便利に又は簡単に説明するためのものであり、指定された装置又は部品が必ず特定の方位にあり、特定の方位において構造され操作されると指示又は暗示するものではないので、本発明に対する限定と理解されるものではない。
【００１３】
第１の実施形態
図１から図５に示されるように、本発明により提供される折り畳み端末１００は、本体１と、フレキシブルスクリーンアセンブリ２とを備える。
本体１は、第１の構造部材１１と、第２の構造部材１２と、折り曲げアセンブリ１３とを備える。第１の構造部材１１と第２の構造部材１２とは、折り曲げアセンブリ１３を介して接続され、フレキシブルスクリーンアセンブリ２は、本体１の折り畳み内側面１ａに設けられている。
ここで、折り曲げアセンブリ１３は、固定部材１３１と、二つのスライドバー１３２とを備える。二つのスライドバー１３２の第１端１３２１が固定部材１３１の側壁１３１３に回動可能に接続され、二つのスライドバー１３２の第２端１３２２が、第１の構造部材１１と第２の構造部材１２とにそれぞれ摺動可能に接続されることにより、固定部材１３１と、第１の構造部材１１や第２の構造部材１２との間に摺動可能な変位があるようにする。さらに、本体１が徐々に展開されるにつれて、二つのスライドバー１３２の第２端１３２２は、それぞれ第１のスライドキャビティ１１１ａおよび第２のスライドキャビティ１２１ａの底部に徐々に接近することができ、本体１の折り畳み外側面１ｂの長さは、徐々に小さくなる。折り畳み端末１００の展開を実現した後、本体１の折り畳み外側面１ｂは、平らな面であり、しわがなく、フレキシブルスクリーンアセンブリ２の折り曲げ領域２ａが固定部材１３１に接触するため、フレキシブルスクリーンアセンブリ２の折り曲げ領域２ａは、平坦な部材により支持され、フレキシブルスクリーンアセンブリ２の折り曲げ領域２ａの押圧感度を向上させる。
【００１４】
本実施形態においては、本体１がメインボードをさらに備えていることが好ましい。メインボードは、第１の構造部材１１と第２の構造部材１２とに設けられている。当然のことながら、変形例として、メインボードは、第１の構造部材１１にのみ、又は第２の構造部材１２にのみ設けられてもよい。
【００１５】
ここで、第１の構造部材１１および第２の構造部材１２の外部構造は、基本的に同じであり、第１の構造部材１１および第２の構造部材１２の内部に設けられている電子素子は、同じであってもよく、異なってもよい。
【００１６】
具体的には、第１の構造部材１１は、背向して設けられている第１の内端面１１１と第１の外端面１１２と、背向して設けられている第１の内面１１３および第１の外面１１４とを備える。第１の構造部材１１の内部に第１の内端面１１１から第１の外端面１１２の方向に沿って第１のスライドキャビティ１１１ａが形成され、第１のスライドキャビティ１１１ａの開口は、第１の内端面１１１に位置されている。
具体的には、第２の構造部材１２は、背向して設けられている第２の内端面１２１と第２の外端面１２２と、背向して設けられている第２の内面１２３および第２の外面１２４とを備える。第２の構造部材１２の内部に第２の内端面１２１から第２の外端面１２２方向に沿って第２のスライドキャビティ１２１ａが形成され、第２のスライドキャビティ１２１ａの開口は、第２の内端面１２１に位置されている。
【００１７】
なお、第１のスライドキャビティ１１１ａおよび第２のスライドキャビティ１２１ａの数は、折り曲げアセンブリ１３のスライドバー１３２の数に対応する。
【００１８】
本実施形態において、固定部材１３１は、長い矩形であり、フレキシブルスクリーンアセンブリ２の折り曲げ領域２ａに平坦な支持を提供することを便利にする。固定部材１３１は、背向して設けられている内側面１３１１および外側面１３１２と、背向して設けられている二つの側壁１３１３と、背向して設けられている上端面１３１４および下端面１３１５とを備える。ここで、上端面１３１４から下端面１３１５の方向を縦方向と定義し、固定部材１３１の縦方向の長さは、第１の内端面１１１の縦方向の長さと同じであり、フレキシブルスクリーンアセンブリ２の折り曲げ領域２ａの任意部位の押圧にも平坦な支持があることが保証される。
【００１９】
本実施形態において、好ましくは、二つのスライドバー１３２が対称的に設けられ、折り曲げアセンブリ１３の構造をさらに最適化する。
【００２０】
具体的には、二つのスライドバー１３２の第１端１３２１は、それぞれ二つの側壁１３１３に固定部材１３１の縦方向を回って回動可能に接続され、二つのスライドバー１３２間の開放角度が１８０°に達することができるようにする。
二つのスライドバー１３２の第２端１３２２は、それぞれ第１の構造部材１１および第２の構造部材１２に摺動可能に接続され、また、それぞれ第１のスライドキャビティ１１１ａおよび第２のスライドキャビティ１２１ａに位置されている。ここで、第２端１３２２は、矩形ブロックである。その寸法は、第１のスライドキャビティ１１１ａおよび第２のスライドキャビティ１２１ａの開口の寸法より大きいため、二つの第２端１３２２は、それぞれ第１のスライドキャビティ１１１ａおよび第２のスライドキャビティ１２１ａにしか位置することができず、離脱することができない。当然のことながら、変形例として、第２端１３２２は、球形や楕円形、台形などであってもよい。当然のことながら、変形例として、二つのスライドバー１３２は、側壁１３１３に非対称的に設けられてもよく、例えば、二つのスライドバー１３２が上下に配置される。
【００２１】
なお、第１の構造部材１１の第１の外面１１４と、固定部材１３１の外側面１３１２と、第２の構造部材１２の第２の外面１２４とにより、本体１の折り畳み外側面１ｂが形成される。第１の構造部材１１の第１の内面１１３と、第２の構造部材１２の第２の内面１２３とにより、本体１の折り畳み内側面１ａが形成される。
【００２２】
本実施形態において、フレキシブルスクリーンアセンブリ２は、本体１の折り畳み内側面１ａに設けられる。ここで、第１の構造部材１１および第２の構造部材１２の接続部は、フレキシブルスクリーンアセンブリ２の折り曲げ領域２ａであり、フレキシブルスクリーンアセンブリ２の折り曲げ領域２ａは、固定部材１３１に接触され、本体１の折り畳み角度が徐々に小さくなるにつれて、フレキシブルスクリーンアセンブリ２の折り曲げ領域２ａの曲率が徐々に大きくなるようにする。折り曲げ領域２ａは、固定部材１３１の内側面１３１１に貼り合わされるまで、固定部材１３１の内側面１３１１に絶えずに接近し、固定部材１３１をフレキシブルスクリーンアセンブリ２の折り曲げ領域２ａから離間する方向に向けて押し出し、本体１の折り畳み外側面１ｂの長さを増大させ、第１の構造部材１１が第２の構造部材１２に貼り合わされることができるようにし、折り畳み端末１００の折り畳みを実現する。
【００２３】
好ましくは、本体１が平らに展開される状態にあるか、又は折り畳み状態にあるかを問わず、フレキシブルスクリーンアセンブリ２は、常に固定部材１３１に貼り合わされる。即ち、フレキシブルスクリーンアセンブリ２と固定部材１３１の内側面１３１１との間に間隙がない。したがって、本体１が折り畳まれる場合には、フレキシブルスクリーンアセンブリ２により固定部材１３１に与えられる押し出し力がより大きくなり、さらに、折り畳み端末１００の折り畳みを保証する。当然のことながら、変形例として、フレキシブルスクリーンアセンブリ２は、本体１が展開状態にある場合には、フレキシブルスクリーンアセンブリ２と固定部材１３１の内側面１３１１との間に間隙を有し、本体１が徐々に折り畳まれる場合には、フレキシブルスクリーンアセンブリ２と固定部材１３１の内側面１３１１とは、両者が接触するまで接近してもよい。
【００２４】
以上より、折り畳み端末１００を折り畳む必要がある場合には、第１の構造部材１１および／又は第２の構造部材１２をそれぞれ徐々に内向きに反転させ、固定部材１３１に対して相対的に回転するようにスライドバー１３２を連動させ、本体１の折り畳み角度が徐々に小さくなり、フレキシブルスクリーンアセンブリ２の折り曲げ領域２ａの曲率が徐々に大きくなるようにする。折り曲げ領域２ａは、固定部材１３１の内側面１３１１に絶えずに貼り合わせて固定部材１３１に当接する外力を徐々に増大させ、固定部材１３１をフレキシブルスクリーンアセンブリ２の折り曲げ領域２ａから離間する方向に向けて押し出し、本体１の折り畳み外側面１ｂの長さを増大させ、第１の構造部材１１が第２の構造部材１２に貼り合わされることができるようにし、折り畳み端末１００の折り畳みを実現する。折り畳み端末１００を展開する必要がある場合には、第１の構造部材１１および／又は第２の構造部材１２をそれぞれ徐々に外向きに反転させ、固定部材１３１に対して相対的に回転するようにスライドバー１３２を連動させ、本体１の折り畳み角度が徐々に大きくなるようにする。スライドバー１３２の第２端１３２２は、第１のスライドキャビティ１１１ａと第２のスライドキャビティ１２１ａの底部に徐々に接近することができ、本体１の折り畳み外側面１ｂの長さが徐々に小さくなるようにし、折り畳み端末１００の展開を実現した後、本体１の折り畳に外側面１ｂは、平らな面であり、しわがない。
【００２５】
更なる改善のために、折り曲げアセンブリ１３は、二組のスライドバー１３２を有し、一対のスライドバー１３２を一組とし、二組のスライドバー１３２の第１端１３２１は、固定部材１３１の縦方向に沿って固定部材１３１に順次に設けられている。
【００２６】
折り曲げアセンブリ１３を二組のスライドバー１３２に設置することにより、本体１の折り畳まれる場合の平穏度をさらに保証する。
【００２７】
本実施形態において、第１の構造部材１１と第２の構造部材１２とが、それぞれ固定部材１３１と二つの接続部位を有し、第１の構造部材１１と第２の構造部材１２とが、それぞれ二つのスライドバー１３２を介して側壁１３１３に回動可能に接続されている。ここで、単一の第１の構造部材１１に二つのスライドバー１３２の第２端１３２２が摺動可能に接続されているため、それに応じて、第１の構造部材１１には、二つの第１のスライドキャビティ１１１ａが開けられ、二つのスライドバー１３２の第２端１３２２がそれぞれ二つの第１のスライドキャビティ１１１ａに位置するようにし、第２の構造部材１２も同様である。折り曲げアセンブリ１３を二組のスライドバー１３２と設置することにより、第１の構造部材１１と構造部材のそれぞれの固定部材１３１との接続強度を向上させ、したがって、本体１の折り畳まれる場合の平穏度をさらに保証する。
【００２８】
更なる改善のために、側壁１３１３には、凹溝１３１３ａが設けられ、スライドバー１３２の第１端１３２１は、回転軸を介して凹溝１３１３ａに回動可能に接続されている。
【００２９】
スライドバー１３２の第１端１３２１を、回転軸を介して凹溝１３１３ａに回動可能に接続することにより、折り曲げアセンブリ１３の構造をさらに最適化する。
【００３０】
本実施形態において、固定部材１３１には、二つの第１の回転孔１３１４ａが設けられ、第１の回転孔１３１４ａの二つの開口は、それぞれ上端面１３１４および下端面１３１５に位置されている。側壁１３１３には、二組凹溝１３１３ａが縦方向に沿って順次に対称的に設けられ、一組の凹溝１３１３ａが二つあり、二つの凹溝１３１３ａは、それぞれ固定部材１３１の両側壁１３１３に位置されている。スライドバー１３２の第１端１３２１は、半円形頭部であり、凹溝１３１３ａに回転する際にさらに滑らかになり、スライドバー１３２の第１端１３２１には、第２の回転孔が設けられ、スライドバー１３２の第１端１３２１が凹溝１３１３ａに位置するようにする。また、第２の回転孔と第１の回転孔１３１４ａとを正確に位置合わせ、そして、回転軸を第１の回転孔１３１４ａに挿通することにより、第１端１３２１が固定部材１３１に回動可能に接続されることを実現する。当然のことながら、変形例として、スライドバー１３２は、下記方法により固定部材１３１に回動可能に接続されてもよい。側壁１３１３に球形溝が開けられ、スライドバー１３２の第１端１３２１が球形頭部であり、スライドバー１３２の第１端１３２１は、転動可能に球形溝に接続されている。
【００３１】
更なる改善のために、第１の構造部材１１および第２の構造部材１２の端面には、それぞれ第１のバッフル板１１１ｂと第２のバッフル板１２１ｂとが凸設され、第１のバッフル板１１１ｂの外面と第１の構造部材１１の第１の外面１１４とが同一平面上にあり、第２のバッフル板１２１ｂの外面と第２の構造部材１２の第２の外面１２４とが同一平面上にあり、折り曲げアセンブリ１３は、第１のバッフル板１１１ｂと第２のバッフル板１２１ｂとの間に位置されている。
【００３２】
第１の構造部材１１および第２の構造部材１２の端面には、第１のバッフル板１１１ｂと第２のバッフル板１２１ｂとをそれぞれ凸設することにより、本体１の折り畳み外側面１ｂの平坦度をさらに向上させる。
【００３３】
本実施形態において、好ましくは、第１のバッフル板１１１ｂと第２のバッフル板１２１ｂの固定部材１３１の横方向に沿う長さの和は、固定部材１３１の外側面１３１２の自体の横方向に沿う長さに等しく、第１の構造部材１１と第２の構造部材１２との間の夾角が１８０°である場合には、本体１の折り畳み外側面１ｂは、同一平面上にあり、固定部材１３１は、第１のバッフル板１１１ｂと、第２のバッフル板１２１ｂと、フレキシブルスクリーンアセンブリ２の折り曲げ領域２ａとにより形成される密閉キャビティの中に位置され、本体１の折り畳み外側面１ｂの平坦度をさらに向上させる。
【００３４】
具体的には、第１の内端面１１１には、第１の内端面１１１と階段状を形成する第１のバッフル板１１１ｂが凸設される。第２の内端面１２１には、第２の内端面１２１と階段状を形成する第２のバッフル板１２１ｂが凸設される。第１のバッフル板１１１ｂの第１の内端面１１１から第１の外端面１１２の方向を第１のバッフル板１１１ｂの幅と定義し、第２のバッフル板１２１ｂについても同様であり、固定部材１３１の片方の側壁１３１３から他方の側壁１３１３の方向を固定部材１３１の幅と定義する。ここで、固定部材１３１の幅は、第１のバッフル板１１１ｂと第２のバッフル板１２１ｂの幅の和に等しく、本体１が１８０°展開される場合には、本体１の折り畳み外側面１ｂには、寸隙がない。当然のことながら、変形例として、第１のバッフル板１１１ｂと第２のバッフル板１２１ｂの固定部材１３１の横方向に沿う長さの和は、固定部材１３１の外側面１３１２の自体の横方向に沿う長さより小さくてもよい。
【００３５】
第２の実施形態
図６に示されるように、本発明の実施形態においてもう一つの折り畳み端末２００が提供される。本発明の第１の実施形態において提供される折り畳み端末１００と基本的に同じであり、その相違点は、第１のスライドキャビティ２１１１ａが第１のスライドキャビティ２１１１ａの開口に対向する第１の底壁を有し、第２のスライドキャビティ２１２１ａが第２のスライドキャビティ２１２１ａの開口に対向する第２の底壁を有し、折り曲げアセンブリ２１３が二つの弾性部材２１４をさらに備え、一方の弾性部材２１４がスライドバー２１３２の第２端２１３２２と第１の底壁との間に弾性的に接続され、他方の弾性部材２１４がもう一つのスライドバー２１３２の第２端２１３２２と第２の底壁との間に弾性的に接続されている。
【００３６】
本実施形態において、好ましくは、より好ましい変形空間を提供するために、弾性部材２１４がばねである。具体的には、スライドバー２１３２の第２端２１３２２と第１の底壁との間に、弾性部材２１４が弾性的に接続され、もう一つのスライドバー２１３２の第２端２１３２２と第２の底壁との間に弾性部材２１４が弾性的に接続されることにより、第１の構造部材２１１と第２の構造部材２１２とが外力を提供して固定部材２１３１を押し出す。したがって、折り畳み端末２００の開閉信頼性をさらに向上させる。当然のことながら、変形例として、弾性部材２１４は、シリコーンゴムであってもよい。
【００３７】
本体間の夾角が０°になるまで折り畳み端末を折り畳む必要がある場合には、第１の構造部材と第２の構造部材とをそれぞれ徐々に内向きに反転させ、固定部材に対して相対的に回転するようにスライドバーを連動させ、本体の折り畳み角度が徐々に小さくなり、フレキシブルスクリーンアセンブリの折り曲げ領域の曲率が徐々に大きくなるようにする。そして、折り曲げ領域が固定部材の内側面に絶えずに貼り合わせて、固定部材をフレキシブルスクリーンアセンブリの折り曲げ領域から離間する方向に向けて押し出し、本体の折り畳み外側面の長さを増大させ、第１の構造部材が第２の構造部材に貼り合わされることができるようにし、折り畳み端末の折り畳みを実現する。
本体間の夾角が１８０°になるまで折り畳み端末を平らに展開する必要がある場合には、第１の構造部材と第２の構造部材とをそれぞれ徐々に外向きに反転させ、固定部材に対して相対的に回転するようにスライドバーを連動させ、本体の折り畳み角度が徐々に大きくなるようにする。スライドバーの第２端は、第１のスライドキャビティおよび第２のスライドキャビティの底部に徐々に接近することができ、本体の折り畳み外側面の長さが徐々に小さくなるようにし、折り畳み端末の展開を実現した後、本体の折り畳み外側面は、平らな面であり、しわがない。
【００３８】
本発明により提供される折り畳み端末は、スライドバーの第１端を固定部材の側壁に回動可能に接続され、二つのスライドバーの第２端をそれぞれ第１の構造部材および第２の構造部材に摺動可能に接続することにより、固定部材と、第１の構造部材や第２の構造部材との間に摺動可能な変位があるようにする。さらに、本体が徐々に展開されるにつれて、スライドバーの第２端がスライドキャビティの底部に徐々に接近することができ、本体の折り畳み外側面の長さが徐々に小さくなり、折り畳み端末の展開を実現した後、本体の折り畳み外側面は、平らな面であり、しわがない。フレキシブルスクリーンアセンブリの折り曲げ領域が固定部材に接触するため、フレキシブルスクリーンアセンブリの折り曲げ領域は、平坦な部材により支持され、フレキシブルスクリーンアセンブリの折り曲げ領域の押圧感度を向上させる。
【００３９】
以上は、本発明の好ましい実施形態であり、なお、当業者にとって、本発明の原理から逸脱しないことを前提として、さらに、若干の改善と潤色をすることができ、これらの改善と潤色も本発明の保護範囲と見なす。
【図１】
2019507523.tif 000003
【図２】
2019507523.tif 000004
【図３】
2019507523.tif 000005
【図４】
2019507523.tif 000006
【図５】
2019507523.tif 000007
【図６】
2019507523.tif 000008
【手続補正書】
【提出日】平成30年6月29日(2018.6.29)
【手続補正１】
【補正対象書類名】特許請求の範囲
【補正対象項目名】全文
【補正方法】変更
【補正の内容】
【特許請求の範囲】
【請求項１】
折り畳み端末であって、
本体と、フレキシブルスクリーンアセンブリとを備え、
前記本体が、第１の構造部材と、第２の構造部材と、結合アセンブリとを備え、
前記第１の構造部材の端部には、第１のスライドキャビティが設けられ、
前記第２の構造部材の端部には、第２のスライドキャビティが設けられ、
前記結合アセンブリが、固定部材と、二つのスライドバーとを備え、
二つの該スライドバーの第１端が、前記固定部材の二つの背向する側壁にそれぞれ回動可能に接続され、
二つの前記スライドバーの第２端が、前記第１のスライドキャビティと前記第２のスライドキャビティとにそれぞれ摺動可能に接続され、
前記フレキシブルスクリーンアセンブリが、前記本体の第１側面に設けられ、
前記フレキシブルスクリーンアセンブリが、前記固定部材に正対する折り曲げ領域を有し、
前記本体の前記第１側面が、少なくとも前記フレキシブルスクリーンアセンブリに正対する前記第１の構造部材の側面と前記第２の構造部材の側面とを有し、
前記第１の構造部材と前記第２の構造部材とがそれぞれ自身に向けて折り畳まれる場合には、前記固定部材が前記折り曲げ領域に当接されることにより前記本体の前記第１側面に背向する前記本体の第２側面に向けて摺動され、前記本体の前記第２側面が少なくとも前記フレキシブルスクリーンアセンブリに背中合わせる前記第１の構造部材の側面と前記第２の構造部材の側面とを有し、前記第１の構造部材と前記第２の構造部材とがそれぞれ自身に向けて展開される場合には、前記固定部材の二つの背向する側壁がそれぞれ前記第１の構造部材と前記第２の構造部材との端部に互いに接近し、前記本体の前記第２側面を平らに展開させる折り畳み端末。
【請求項２】
前記第１の構造部材と前記第２の構造部材とがそれぞれ自身に向けて展開される場合には、前記固定部材の前記フレキシブルスクリーンアセンブリに正対する側面が、前記折り曲げ領域に接触されて、前記折り曲げ領域を支持する請求項１に記載の折り畳み端末。
【請求項３】
前記折り曲げ領域が、常に前記固定部材の前記フレキシブルスクリーンアセンブリに正対する側面に貼り合わされる請求項１又は請求項２に記載の折り畳み端末。
【請求項４】
前記第１のスライドキャビティが、該第１のスライドキャビティの開口に対向する第１の底壁を有し、
前記第２のスライドキャビティが、該第２のスライドキャビティの開口に対向する第２の底壁を有し、
前記結合アセンブリが、二つの弾性部材をさらに備え、
二つの該弾性部材のうちの一方の前記弾性部材が、二つの前記スライドバーのうちの一方の前記スライドバーの前記第２端と前記第１の底壁との間に弾性的に接続され、
二つの前記弾性部材のうちの他方の前記弾性部材が、二つの前記スライドバーのうちの他方の前記スライドバーの前記第２端と前記第２の底壁との間に弾性的に接続されている請求項１に記載の折り畳み端末。
【請求項５】
前記結合アセンブリが二組の前記スライドバーを有し、
一対の前記スライドバーを一組とし、二組の前記スライドバーの前記第１端が、前記固定部材の縦方向に沿って前記固定部材に間隔を置いて設けられている請求項１又は請求項４に記載の折り畳み端末。
【請求項６】
前記固定部材が、背向して設けられる二つの側壁を備え、
前記側壁には、凹溝が開けられ、
前記スライドバーの前記第１端が、回転軸を介して前記凹溝に回動可能に接続されている請求項１又は請求項４に記載の折り畳み端末。
【請求項７】
前記固定部材が、背向して設けられる二つの側壁を備え、
前記側壁には、球形溝が開けられ、
前記スライドバーの前記第１端が球形頭部であり、
前記スライドバーの前記第１端は、転動可能に前記球形溝に接続されている請求項１又は請求項４に記載の折り畳み端末。
【請求項８】
前記第１の構造部材の端部には、第１のバッフル板がそれぞれ凸設され、
前記第２の構造部材の端部には、第２のバッフル板がそれぞれ凸設され、
前記フレキシブルスクリーンアセンブリに背中合わせる前記第１のバッフル板の表面と前記フレキシブルスクリーンアセンブリに背中合わせる前記第１の構造部材の第１の側面とが同一平面上にあり、
前記フレキシブルスクリーンアセンブリに背中合わせる前記第２のバッフル板の表面と前記フレキシブルスクリーンアセンブリに背中合わせる前記第２の構造部材の第２の側面とが同一平面上にあり、
前記結合アセンブリが、前記第１のバッフル板と前記第２のバッフル板とにより遮るように構成されている請求項１又は請求項４に記載の折り畳み端末。
【請求項９】
前記第１のバッフル板および前記第２のバッフル板の前記固定部材の横方向に沿う長さの和は、前記フレキシブルスクリーンアセンブリに背中合わせる前記固定部材のもう一つの側面の自体の横方向に沿う長さに等しく、
前記第１の構造部材と前記第２の構造部材との間の夾角が１８０°である場合、前記本体の前記第２側面は、同一平面上にあり、
前記固定部材が、前記第１のバッフル板と、前記第２のバッフル板と、前記フレキシブルスクリーンアセンブリの前記折り曲げ領域とにより形成される密閉キャビティの中に位置する請求項８に記載の折り畳み端末。
【請求項１０】
前記本体は、メインボードをさらに備え、
該メインボードが、前記第１の構造部材および前記第２の構造部材の少なくとも一方に設けられている請求項１に記載の折り畳み端末。
【請求項１１】
折り畳み端末であって、
本体と、フレキシブルスクリーンアセンブリとを備え、
前記本体が、二つの構造部材と、二つの該構造部材の間に接続されている結合アセンブリとを備え、
該結合アセンブリが、固定部材と、二つのスライドバーとを備え、
二つの該スライドバーの第１端が、前記固定部材の背向する二つの側壁にそれぞれ回動可能に接続され、
二つの前記スライドバーの第２端が、二つの前記構造部材にそれぞれ摺動可能に接続され、
前記フレキシブルスクリーンアセンブリが、前記本体の第１側面に設けられ、且つ、前記固定部材に正対する折り曲げ領域を有し、
前記本体の前記第１側面が、少なくとも前記フレキシブルスクリーンアセンブリに正対する二つの前記構造部材の側面を有し、
二つの前記構造部材が互いに接近させられて、前記本体が折り畳まれる場合には、前記固定部材が、前記折り曲げ領域と当接されることにより二つの前記構造部材から離間する方向に向けて摺動され、
二つの前記構造部材が互いに離間されて前記本体を平らに展開させる場合には、前記固定部材と二つの前記構造部材とが互いに接近させられて、前記本体の前記第１側面に背向する前記本体の第２側面を平らに展開させ、
前記本体の前記第２側面が、少なくとも前記フレキシブルスクリーンアセンブリに背中合わせる二つの前記構造部材の側面を有する折り畳み端末。
【請求項１２】
前記固定部材が、背向して設けられる上端面と下端面とを備え、
前記上端面から前記下端面への方向において、前記固定部材の長さは、二つの前記構造部材の長さと同じである請求項１１に記載の折り畳み端末。
【請求項１３】
二つの前記構造部材が、いずれも、互いに向き合う内端面と、互いに離反する外端面とを備え、
二つの前記構造部材の内部には、いずれも、前記内端面から前記外端面への方向に沿って伸びるスライドキャビティが設けられ、
前記スライドバーの前記第２端が、前記スライドキャビティに摺動可能に接続されている請求項１２に記載の折り畳み端末。
【請求項１４】
前記結合アセンブリが、複数のペアであり且つ対称的に設けられる前記スライドバーを有し、
複数のペアの該スライドバーは、前記上端面から前記下端面への方向に間隔を置いて前記固定部材に接続されている請求項１３に記載の折り畳み端末。
【請求項１５】
二つの前記構造部材の内端面には、一つのバッフル板がそれぞれ凸設され、
前記フレキシブルスクリーンアセンブリに背中合わせる前記バッフル板の表面と前記フレキシブルスクリーンアセンブリに背中合わせる前記構造部材の表面とが同一平面上にあり、
二つの前記構造部材における第１の構造部材と第２の構造部材とがそれぞれ自身に向けて展開される場合には、二つの前記バッフル板が、互いに当接され、前記固定部材が、二つの前記バッフル板と前記折り曲げ領域とにより遮るように構成されている請求項１３に記載の折り畳み端末。
【手続補正２】
【補正対象書類名】明細書
【補正対象項目名】全文
【補正方法】変更
【補正の内容】
【発明の詳細な説明】
【優先権情報】
【０００１】
本発明は、２０１５年１２月２９日に提出され且つ発明の名称が「折り畳み端末」であり、出願番号が２０１５１１０２６５０９.４である先の出願の優先権を主張するものであり、上記先の出願の内容は参照により本明細書に組み入れられる。
【技術分野】
【０００２】
本発明は、電子機器分野に関し、特に、折り畳み端末に関するものである。
【背景技術】
【０００３】
フレキシブルスクリーンは、従来のスクリーンと比べると、フレキシブルスクリーンの優勢が明らかであるものであり、体積上さらに軽量薄型化されるだけではなく、消費電力も従来部品より低く、機器の航続能力の向上に寄与するとともに、湾曲可能および可撓性の良い特性に基づいて、その耐久性も従来のスクリーンよりも遙かに高く、機器の不慮の損傷の確立を低減する。
【０００４】
従来技術において、フレキシブルスクリーンを端末に適用して、折り畳み可能な折り畳み端末を提供する。発明者は、従来の折り畳み可能な端末を利用する際に、端末が折り曲げられる場合、端末の外面と内面に半径の差があり、外面の折り曲げ位置における長さが比較的大きく、端末が平らに展開される場合、端末の折り曲げ位置に、しわが現れやすいことに気づいた。
【発明の概要】
【発明が解決しようとする課題】
【０００５】
本発明は、展開される場合、しわが現れない折り畳み端末を提供することを目的とする。
【課題を解決するための手段】
【０００６】
本発明の一態様は、本体と、フレキシブルスクリーンアセンブリとを備え、前記本体が、第１の構造部材と、第２の構造部材と、結合アセンブリ（Ｃｏｕｐｌｉｎｇ  Ａｓｓｅｍｂｌｙ）とを備え、前記第１の構造部材の端部には、第１のスライドキャビティが設けられ、前記第２の構造部材の端部には、第２のスライドキャビティが設けられ、前記結合アセンブリが、固定部材と、二つのスライドバーとを備え、二つの該スライドバーの第１端が、前記固定部材の二つの側壁に回動可能に接続され、二つの前記スライドバーの第２端が、前記第１のスライドキャビティと前記第２のスライドキャビティとにそれぞれ摺動可能に接続され、前記フレキシブルスクリーンアセンブリが、前記本体の第１側面に設けられ、前記固定部材に正対する折り曲げ領域を有し、前記本体の前記第１側面が、少なくとも前記フレキシブルスクリーンアセンブリに正対する前記第１の構造部材の側面と前記第２の構造部材の側面とを有し、前記第１の構造部材と前記第２の構造部材とがそれぞれ自身に向けて折り畳まれる場合には、前記固定部材が前記折り曲げ領域に当接されることにより前記本体の前記第１側面に背向する前記本体の第２側面に向けて摺動され、前記本体の前記第２側面が少なくとも前記フレキシブルスクリーンアセンブリに背中合わせる前記第１の構造部材の側面と前記第２の構造部材の側面とを有し、前記第１の構造部材と前記第２の構造部材とがそれぞれ自身に向けて展開される場合には、前記固定部材の二つの背向する側壁がそれぞれ前記第１の構造部材と前記第２の構造部材との端部と互いに接近し、前記本体の前記第２側面を平らに展開させる折り畳み端末を提供する。
【０００７】
本発明の他の態様は、本体と、フレキシブルスクリーンアセンブリとを備え、前記本体が、二つの構造部材と、二つの該構造部材の間に接続されている結合アセンブリとを備え、該結合アセンブリが、固定部材と、二つのスライドバーとを備え、二つの該スライドバーの第１端が、前記固定部材の背向する二つの側壁にそれぞれ回動可能に接続され、二つの前記スライドバーの第２端が、二つの前記構造部材にそれぞれ摺動可能に接続され、前記フレキシブルスクリーンアセンブリが、前記本体の第１側面に設けられ、且つ、前記固定部材に正対する折り曲げ領域を有し、前記本体の前記第１側面が、少なくとも前記フレキシブルスクリーンアセンブリに正対する二つの前記構造部材の側面を有し、二つの前記構造部材が互いに接近させられて、前記本体が折り畳まれる場合には、前記固定部材が、前記折り曲げ領域と当接されることにより二つの前記構造部材から離間する方向に向けて摺動され、二つの前記構造部材が互いに離間されて前記本体を平らに展開させる場合には、前記固定部材と二つの前記構造部材とが互いに接近させられて、前記本体の前記第１側面に背向する前記本体の第２側面を平らに展開させ、前記本体の前記第２側面が、少なくとも前記フレキシブルスクリーンアセンブリに背中合わせる二つの前記構造部材の側面を有する折り畳み端末を提供する。
【図面の簡単な説明】
【０００８】
本発明の技術案をより明確に説明するために、以下、実施形態において用いる必要のある図面について簡単に紹介し、以下の説明における図面が単なる本発明の一部の実施形態であることが明らかであり、当業者にとって、創造的労働を貢献しないという前提で、これらの図面に基づいて他の図面をさらに取得することができる。
【０００９】
【図１】本発明の第１の実施形態において提供される折り畳み端末の概略図である。
【図２】図１に示される折り畳み端末の分解概略図である。
【図３】図２に示される折り畳み端末の展開状態にある場合の内部概略図である。
【図４】図２に示される折り畳み端末の折り曲げ状態にある場合の内部概略図である。
【図５】図２に示される折り畳み端末の他の折り曲げ状態にある場合の内部概略図である。
【図６】本発明の第２の実施形態において提供される折り畳み端末の概略図である。
【発明を実施するための形態】
【００１０】
以下、本発明の実施形態における図面と組み合わせて、本発明の実施形態における技術案について明確且つ完全な説明を行う。
【００１１】
本発明の実施形態に係る折り畳み端末は、通信と記憶の機能を備える任意の機器であってもよく、例えば、タブレット、携帯、電子書籍リーダー、リモコン、パソコン（Ｐｅｒｓｏｎａｌ  Ｃｏｍｐｕｔｅｒ，ＰＣ）、ラップトップ、車載機器、インターネットテレビ、ウェアラブルデバイスなどのネットワーク機能を有するスマートデバイスであってもよい。
【００１２】
なお、本発明の実施形態の説明において、「内向きに反転」、「外向きに反転」、「縦方向」、「横方向」、「厚さ」、「上」、「下」などの用語が示す方位又は位置関係は、図面に示す方位又は位置関係に基づき、本発明を便利に又は簡単に説明するためのものであり、指定された装置又は部品が必ず特定の方位にあり、特定の方位において構造され操作されると指示又は暗示するものではないので、本発明に対する限定と理解されるものではない。
【００１３】
第１の実施形態
図１から図５に示されるように、本発明により提供される折り畳み端末１００は、本体１と、フレキシブルスクリーンアセンブリ２とを備える。
本体１は、第１の構造部材１１と、第２の構造部材１２と、結合アセンブリ１３とを備える。第１の構造部材１１と第２の構造部材１２とは、結合アセンブリ１３を介して接続され、フレキシブルスクリーンアセンブリ２は、本体１の第１側面１ａに設けられ、例えば、本体１が折り曲げられる状態にある場合、本体１の第１側面１ａに設けられている。
ここで、結合アセンブリ１３は、固定部材１３１と、二つのスライドバー１３２とを備える。二つのスライドバー１３２の第１端１３２１が固定部材１３１の側壁１３１３に回動可能に接続され、二つのスライドバー１３２の第２端１３２２が、第１の構造部材１１と第２の構造部材１２とにそれぞれ摺動可能に接続されることにより、固定部材１３１と、第１の構造部材１１や第２の構造部材１２との間に摺動可能な変位があるようにする。さらに、本体１が徐々に展開されるにつれて、二つのスライドバー１３２の第２端１３２２は、それぞれ第１のスライドキャビティ１１１ａおよび第２のスライドキャビティ１２１ａの底部に徐々に接近することができ、本体１の折り畳み外側面１ｂ（即ち第２側面）の長さは、徐々に小さくなる。折り畳み端末１００の展開を実現した後、本体１の第２側面１ｂは、平らな面であり、しわがなく、フレキシブルスクリーンアセンブリ２の折り曲げ領域２ａが固定部材１３１に接触するため、フレキシブルスクリーンアセンブリ２の折り曲げ領域２ａは、平坦な部材により支持され、フレキシブルスクリーンアセンブリ２の折り曲げ領域２ａの押圧感度を向上させる。
【００１４】
本実施形態においては、本体１がメインボードをさらに備えていてもよい。メインボードは、第１の構造部材１１と第２の構造部材１２とに設けられている。変形例として、メインボードは、第１の構造部材１１にのみ、又は第２の構造部材１２にのみ設けられてもよい。
【００１５】
ここで、第１の構造部材１１および第２の構造部材１２の外部構造は、基本的に同じであり、第１の構造部材１１および第２の構造部材１２の内部に設けられている電子素子は、同じであってもよく、異なってもよい。
【００１６】
本実施形態において、第１の構造部材１１は、背向して設けられている第１の内端面１１１と第１の外端面１１２と、フレキシブルスクリーンアセンブリ２に正対する側面とフレキシブルスクリーンアセンブリ２に背中合わせるもう一つの側面（例えば、本体１が折り曲げ状態にある場合、背向して設けられている第１の内面１１３および第１の外面１１４）とを備える。第１の構造部材１１の内部に第１の内端面１１１から第１の外端面１１２の方向に沿って第１のスライドキャビティ１１１ａが形成され、第１のスライドキャビティ１１１ａの開口は、第１の内端面１１１に位置されている。
本実施形態において、第２の構造部材１２は、背向して設けられている第２の内端面１２１と第２の外端面１２２と、フレキシブルスクリーンアセンブリ２に正対する側面とフレキシブルスクリーンアセンブリ２に背中合わせるもう一つの側面（例えば、本体１が折り曲げ状態にある場合、背向して設けられている第２の内面１２３および第２の外面１２４）とを備える。第２の構造部材１２の内部に第２の内端面１２１から第２の外端面１２２方向に沿って第２のスライドキャビティ１２１ａが形成され、第２のスライドキャビティ１２１ａの開口は、第２の内端面１２１に位置されている。
【００１７】
なお、第１のスライドキャビティ１１１ａおよび第２のスライドキャビティ１２１ａの数は、結合アセンブリ１３のスライドバー１３２の数に対応する。
【００１８】
本実施形態において、固定部材１３１は、長い矩形であり、フレキシブルスクリーンアセンブリ２の折り曲げ領域２ａに平坦な支持を提供することを便利にする。固定部材１３１は、フレキシブルスクリーンアセンブリ２に正対する側面とフレキシブルスクリーンアセンブリ２に背中合わせるもう一つの側面とを備え、例えば、本体１が折り曲げ状態にある場合、背向して設けられている内側面１３１１および外側面１３１２と、背向して設けられている二つの側壁１３１３と、背向して設けられている上端面１３１４および下端面１３１５とを備える。ここで、上端面１３１４から下端面１３１５の方向を縦方向と定義し、固定部材１３１の縦方向の長さは、第１の内端面１１１の縦方向の長さと同じであり、フレキシブルスクリーンアセンブリ２の折り曲げ領域２ａの任意部位の押圧にも平坦な支持があることが保証される。
【００１９】
本実施形態において、二つのスライドバー１３２が対称的に設けられ、結合アセンブリ１３の構造をさらに最適化する。
【００２０】
本実施形態において、二つのスライドバー１３２の第１端１３２１は、それぞれ二つの側壁１３１３に固定部材１３１の縦方向を回って回動可能に接続されている。即ち、二つのスライドバー１３２のうちの一方のスライドバー１３２の第１端１３２１が、固定部材１３１の縦方向を回って回動可能に、二つの側壁１３１３のうちの一方に接続され、二つのスライドバー１３２のうちの他方のスライドバー１３２の第１端１３２１が、固定部材１３１の縦方向を回って回動可能に、二つの側壁１３１３のうちの他方に接続され、二つのスライドバー１３２間の開放角度が１８０°に達することができるようにする。
二つのスライドバー１３２の第２端１３２２は、それぞれ第１の構造部材１１および第２の構造部材１２に摺動可能に接続され、また、それぞれ第１のスライドキャビティ１１１ａおよび第２のスライドキャビティ１２１ａに位置されている。即ち、二つのスライドバー１３２のうちの一方のスライドバー１３２の第２端１３２２は、第１の構造部材１１に摺動可能に接続され、且つ第１のスライドキャビティ１１１ａに位置され、二つのスライドバー１３２のうちの他方のスライドバー１３２の第２端１３２２は、第２の構造部材１２に摺動可能に接続され、且つ第２のスライドキャビティ１２１ａに位置されている。ここで、第２端１３２２は、矩形ブロックである。その寸法は、第１のスライドキャビティ１１１ａおよび第２のスライドキャビティ１２１ａの開口の寸法より大きいため、二つの第２端１３２２は、それぞれ第１のスライドキャビティ１１１ａおよび第２のスライドキャビティ１２１ａにしか位置することができず、離脱することができない。変形例として、第２端１３２２は、球形や楕円形、台形などであってもよい。変形例として、二つのスライドバー１３２は、側壁１３１３に非対称的に設けられてもよく、例えば、二つのスライドバー１３２が上下に配置される。
本発明の実施形態において、本体１の第１側面１ａは、少なくともフレキシブルスクリーンアセンブリ２に正対する第１の構造部材１１の側面と第２の構造部材１２の側面とを有する。本体１の第２側面１ｂは、少なくともフレキシブルスクリーンアセンブリ２に背中合わせる第１の構造部材１１の側面と第２の構造部材１２の側面とを有する。
【００２１】
本発明の一部の実施例においては、第１の構造部材１１の第１の外面１１４と、固定部材１３１の外側面１３１２と、第２の構造部材１２の第２の外面１２４とにより、本体１の第２側面１ｂを構成する。例えば、第１の構造部材１１と第２の構造部材１２との夾角が０°になる場合、第１の構造部材１１の第１の内面１１３と、第２の構造部材１２の第２の内面１２３とにより、本体１の第１側面１ａを構成する。
【００２２】
本実施形態において、フレキシブルスクリーンアセンブリ２は、本体１の第１側面１ａに設けられる。ここで、第１の構造部材１１および第２の構造部材１２の接続部は、フレキシブルスクリーンアセンブリ２の折り曲げ領域２ａであり、フレキシブルスクリーンアセンブリ２の折り曲げ領域２ａは、固定部材１３１に接触され、本体１の折り畳み角度が徐々に小さくなるにつれて、フレキシブルスクリーンアセンブリ２の折り曲げ領域２ａの曲率が徐々に大きくなるようにする。折り曲げ領域２ａは、固定部材１３１の内側面１３１１に貼り合わされるまで、固定部材１３１の内側面１３１１に絶えずに接近し、固定部材１３１をフレキシブルスクリーンアセンブリ２の折り曲げ領域２ａから離間する方向に向けて押し出し、本体１の第２側面１ｂの長さを増大させ、第１の構造部材１１が第２の構造部材１２に貼り合わされることができるようにし、折り畳み端末１００の折り畳みを実現する。
【００２３】
本実施形態において、本体１が平らに展開される状態にあるか、又は折り畳み状態にあるかを問わず、フレキシブルスクリーンアセンブリ２は、常に固定部材１３１に貼り合わされる。即ち、フレキシブルスクリーンアセンブリ２と固定部材１３１の内側面１３１１との間に間隙がない。したがって、本体１が折り畳まれる場合には、フレキシブルスクリーンアセンブリ２により固定部材１３１に与えられる押し出し力がより大きくなり、さらに、折り畳み端末１００の折り畳みを保証する。変形例として、フレキシブルスクリーンアセンブリ２は、本体１が展開状態にある場合には、フレキシブルスクリーンアセンブリ２と固定部材１３１の内側面１３１１との間に間隙を有し、本体１が徐々に折り畳まれる場合には、フレキシブルスクリーンアセンブリ２と固定部材１３１の内側面１３１１とは、両者が接触するまで接近してもよい。
【００２４】
以上より、折り畳み端末１００を折り畳む必要がある場合には、第１の構造部材１１および／又は第２の構造部材１２をそれぞれ徐々に内向きに反転させ、固定部材１３１に対して相対的に回転するようにスライドバー１３２を連動させ、本体１の折り畳み角度が徐々に小さくなり、フレキシブルスクリーンアセンブリ２の折り曲げ領域２ａの曲率が徐々に大きくなるようにする。折り曲げ領域２ａは、固定部材１３１の内側面１３１１に絶えずに貼り合わせて固定部材１３１に当接する外力を徐々に増大させ、固定部材１３１をフレキシブルスクリーンアセンブリ２の折り曲げ領域２ａから離間する方向に向けて押し出し、本体１の第２側面１ｂの長さを増大させ、第１の構造部材１１が第２の構造部材１２に貼り合わされることができるようにし、折り畳み端末１００の折り畳みを実現する。折り畳み端末１００を展開する必要がある場合には、第１の構造部材１１および／又は第２の構造部材１２をそれぞれ徐々に外向きに反転させ、固定部材１３１に対して相対的に回転するようにスライドバー１３２を連動させ、本体１の折り畳み角度が徐々に大きくなるようにする。スライドバー１３２の第２端１３２２は、第１のスライドキャビティ１１１ａと第２のスライドキャビティ１２１ａの底部に徐々に接近することができる。即ち、二つのスライドバー１３２のうちの一方のスライドバー１３２の第２端１３２２は、第１のスライドキャビティ１１１ａの底部に徐々に接近することができ、二つのスライドバー１３２のうちの他方のスライドバー１３２の第２端１３２２は、第２のスライドキャビティ１２１ａの底部に徐々に接近することができる。本体１の第２側面１ｂの長さが徐々に小さくなるようにし、折り畳み端末１００の展開を実現した後、本体１の折り畳に外側面１ｂは、平らな面であり、しわがない。
【００２５】
更なる改善のために、結合アセンブリ１３は、二組のスライドバー１３２を有し、一対のスライドバー１３２を一組とし、二組のスライドバー１３２の第１端１３２１は、固定部材１３１の縦方向に沿って固定部材１３１に順次に設けられている。
【００２６】
結合アセンブリ１３を二組のスライドバー１３２に設置することにより、本体１の折り畳まれる場合の平穏度をさらに保証する。
【００２７】
本実施形態において、第１の構造部材１１と第２の構造部材１２とが、それぞれ固定部材１３１と二つの接続部位を有し、第１の構造部材１１と第２の構造部材１２とが、それぞれ二つのスライドバー１３２を介して側壁１３１３に回動可能に接続されている。ここで、単一の第１の構造部材１１に二つのスライドバー１３２の第２端１３２２が摺動可能に接続されているため、それに応じて、第１の構造部材１１には、二つの第１のスライドキャビティ１１１ａが開けられ、第１の構造部材１１に接続されている二つのスライドバー１３２の第２端１３２２がそれぞれ二つの第１のスライドキャビティ１１１ａに位置するようにし、第２の構造部材１２も同様である。結合アセンブリ１３を二組のスライドバー１３２と設置することにより、第１の構造部材１１と第２の構造部材１２がそれぞれ固定部材１３１との接続強度を向上させ、したがって、本体１の折り畳まれる場合の平穏度をさらに保証する。
【００２８】
更なる改善のために、側壁１３１３には、凹溝１３１３ａが設けられ、スライドバー１３２の第１端１３２１は、回転軸を介して凹溝１３１３ａに回動可能に接続されている。
【００２９】
スライドバー１３２の第１端１３２１を、回転軸を介して凹溝１３１３ａに回動可能に接続することにより、結合アセンブリ１３の構造をさらに最適化する。
【００３０】
本実施形態において、固定部材１３１には、二つの第１の回転孔１３１４ａが設けられ、第１の回転孔１３１４ａの二つの開口は、それぞれ上端面１３１４および下端面１３１５に位置されている。即ち、第１の回転孔１３１４ａの二つの開口のうちの一方が、上端面１３１４に位置され、第１の回転孔１３１４ａの二つの開口のうちの他方が、下端面１３１５に位置されている。側壁１３１３には、二組凹溝１３１３ａが縦方向に沿って順次に対称的に設けられ、一組の凹溝１３１３ａが二つあり、二つの凹溝１３１３ａは、それぞれ固定部材１３１の両側壁１３１３に位置されている。即ち、二つの凹溝１３１３ａのうちの一方が、固定部材１３１の両側壁１３１３のうちの一方に位置され、二つの凹溝１３１３ａのうちの他方が、固定部材１３１の両側壁１３１３のうちの他方に位置されている。スライドバー１３２の第１端１３２１は、半円形頭部であり、凹溝１３１３ａに回転する際にさらに滑らかになり、スライドバー１３２の第１端１３２１には、第２の回転孔が設けられ、スライドバー１３２の第１端１３２１が凹溝１３１３ａに位置するようにする。また、第２の回転孔と第１の回転孔１３１４ａとを正確に位置合わせ、そして、回転軸を第１の回転孔１３１４ａおよび第２の回転孔に挿通することにより、第１端１３２１が固定部材１３１に回動可能に接続されることを実現する。変形例として、スライドバー１３２は、下記方法により固定部材１３１に回動可能に接続されてもよい。側壁１３１３に球形溝が開けられ、スライドバー１３２の第１端１３２１が球形頭部であり、スライドバー１３２の第１端１３２１は、転動可能に球形溝に接続されている。
【００３１】
更なる改善のために、第１の構造部材１１および第２の構造部材１２の端部には、それぞれ第１のバッフル板１１１ｂと第２のバッフル板１２１ｂとが凸設されている。即ち、第１の構造部材１１の端部には、第１のバッフル板１１１ｂが凸設され、第２の構造部材１２の端部には、第２のバッフル板１２１ｂが凸設されている。第１のバッフル板１１１ｂの外面と第１の構造部材１１の第１の外面１１４とが同一平面上にあり、第２のバッフル板１２１ｂの外面と第２の構造部材１２の第２の外面１２４とが同一平面上にあり、結合アセンブリ１３は、第１のバッフル板１１１ｂと第２のバッフル板１２１ｂとにより遮るように構成されている。
【００３２】
第１の構造部材１１の端部には、第１のバッフル板１１１ｂを凸設し、また、第２の構造部材１２の端部には、第２のバッフル板１２１ｂを凸設することにより、本体１の第２側面１ｂの平坦度をさらに向上させる。
【００３３】
本実施形態において、第１のバッフル板１１１ｂと第２のバッフル板１２１ｂの固定部材１３１の横方向に沿う長さの和は、固定部材１３１の外側面１３１２の自体の横方向に沿う長さに等しく、第１の構造部材１１と第２の構造部材１２との間の夾角が１８０°である場合には、本体１の第２側面１ｂは、同一平面上にあり、固定部材１３１は、第１のバッフル板１１１ｂと、第２のバッフル板１２１ｂと、フレキシブルスクリーンアセンブリ２の折り曲げ領域２ａとにより形成される密閉キャビティの中に位置され、本体１の第２側面１ｂの平坦度をさらに向上させる。
【００３４】
本実施形態において、第１の内端面１１１には、第１の内端面１１１と階段状を形成する第１のバッフル板１１１ｂが凸設される。第２の内端面１２１には、第２の内端面１２１と階段状を形成する第２のバッフル板１２１ｂが凸設される。第１のバッフル板１１１ｂの第１の内端面１１１から第１の外端面１１２の方向を第１のバッフル板１１１ｂの幅方向と定義し、第２のバッフル板１２１ｂについても同様であり、固定部材１３１の片方の側壁１３１３から他方の側壁１３１３の方向を固定部材１３１の幅と定義する。ここで、固定部材１３１の幅は、第１のバッフル板１１１ｂと第２のバッフル板１２１ｂの幅の和に等しく、本体１が１８０°展開される場合には、本体１の第２側面１ｂには、寸隙がない。変形例として、第１のバッフル板１１１ｂと第２のバッフル板１２１ｂの固定部材１３１の横方向に沿う長さの和は、固定部材１３１の外側面１３１２の自体の横方向に沿う長さより小さくてもよい。
【００３５】
第２の実施形態
図６に示されるように、本発明の実施形態においてもう一つの折り畳み端末２００が提供される。本発明の第１の実施形態において提供される折り畳み端末１００と基本的に同じであり、その相違点は、第１のスライドキャビティ２１１１ａが第１のスライドキャビティ２１１１ａの開口に対向する第１の底壁を有し、第２のスライドキャビティ２１２１ａが第２のスライドキャビティ２１２１ａの開口に対向する第２の底壁を有し、結合アセンブリ２１３が二つの弾性部材２１４をさらに備え、一方の弾性部材２１４がスライドバー２１３２の第２端２１３２２と第１の底壁との間に弾性的に接続され、他方の弾性部材２１４がもう一つのスライドバー２１３２の第２端２１３２２と第２の底壁との間に弾性的に接続されている。
【００３６】
本実施形態において、より好ましい変形空間を提供するために、弾性部材２１４がばねである。具体的には、スライドバー２１３２の第２端２１３２２と第１の底壁との間に、弾性部材２１４が弾性的に接続され、もう一つのスライドバー２１３２の第２端２１３２２と第２の底壁との間に弾性部材２１４が弾性的に接続されることにより、第１の構造部材２１１と第２の構造部材２１２とが外力を提供して固定部材２１３１を押し出す。したがって、折り畳み端末２００の開閉信頼性をさらに向上させる。変形例として、弾性部材２１４は、シリコーンゴムであってもよい。
【００３７】
第１構造部材２１１と第２構造部材２１２との間の夾角が０°になるまで折り畳み端末２００を折り畳む必要がある場合には、第１の構造部材２１１と第２の構造部材２１２とをそれぞれ徐々に内向きに反転させ、固定部材２１３１に対して相対的に回転するようにスライドバー２１３２を連動させ、本体の折り畳み角度が徐々に小さくなり、フレキシブルスクリーンアセンブリの折り曲げ領域の曲率が徐々に大きくなるようにする。そして、折り曲げ領域が固定部材２１３１の内側面に絶えずに貼り合わせて、固定部材２１３１をフレキシブルスクリーンアセンブリの折り曲げ領域から離間する方向に向けて押し出し、本体の第２側面の長さを増大させ、第１の構造部材２１１が第２の構造部材２１２に貼り合わされることができるようにし、折り畳み端末２００の折り畳みを実現する。
第１構造部材２１１と第２構造部材２１２との間の夾角が１８０°になるまで折り畳み端末２００を平らに展開する必要がある場合には、第１の構造部材２１１と第２の構造部材２１２とをそれぞれ徐々に外向きに反転させ、固定部材２１３１に対して相対的に回転するようにスライドバー２１３２を連動させ、本体の折り畳み角度が徐々に大きくなるようにする。スライドバー２１３２の第２端２１３２２は、第１のスライドキャビティ２１１１ａおよび第２のスライドキャビティ２１２１ａの底部に徐々に接近することができ、本体の第２側面の長さが徐々に小さくなるようにし、折り畳み端末の展開を実現した後、本体の第２側面は、平らな面であり、しわがない。
【００３８】
本発明により提供される折り畳み端末２００は、スライドバー２１３２の第１端１３２１を固定部材２１３１の側壁に回動可能に接続され、二つのスライドバー２１３２の第２端２１３２２をそれぞれ第１の構造部材２１１および第２の構造部材２１２に摺動可能に接続することにより、固定部材２１３１と、第１の構造部材２１１や第２の構造部材２１２との間に摺動可能な変位があるようにする。さらに、本体が徐々に展開されるにつれて、スライドバー２１３２の第２端２１３２２がスライドキャビティ２１１１ａ又はスライドキャビティ２１２１ａの底部に徐々に接近することができ、本体の第２側面の長さが徐々に小さくなり、折り畳み端末２００の展開を実現した後、本体の第２側面は、平らな面であり、しわがない。フレキシブルスクリーンアセンブリの折り曲げ領域が固定部材２１３１に接触するため、フレキシブルスクリーンアセンブリの折り曲げ領域は、平坦な部材により支持され、フレキシブルスクリーンアセンブリの折り曲げ領域の押圧感度を向上させる。
【００３９】
以上は、本発明の実施形態の一例であり、なお、当業者にとって、本発明の原理から逸脱しないことを前提として、さらに、若干の改善と潤色をすることができ、これらの改善と潤色も本発明の保護範囲と見なす。
【国際調査報告】
2019507523.tif 000009
2019507523.tif 000010
2019507523.tif 000011
2019507523.tif 000012
2019507523.tif 000013
2019507523.tif 000014